(57)【要約】【課題】床に腰かけたり立ったりしたときに違和感がなく、歩行感覚もよく、かつ十分な水はけ性を確保できる浴室床を提供する。【解決手段】排水口２１を含む排水領域３に洗い場領域１を隣接させた構成を有し、洗い場領域１の上面には複数の凸部１２とこれら凸部１２間に位置して凸部１２同士を区分する凹所１３が形成され、この凹所１３は排水領域２０まで下り傾斜を有して通水可能に連続している一方、複数の凸部１２はそれらの上端面１４が同一水平面となる高さ位置を有している。【選択図】図１
2009228389.tif 000002
【特許請求の範囲】
【請求項１】
排水口を含む排水領域に洗い場領域を隣接させた構成を有し、洗い場領域の上面には複数の凸部とこれら凸部間に位置して凸部同士を区分する凹所が形成され、
この凹所は上記排水領域まで下り傾斜を有して通水可能に連続している一方、上記複数の凸部はそれらの上端面が同一水平面となる高さ位置を有していることを特徴とする浴室床。
【請求項２】
請求項１において、
上記凸部は、上面周縁部がＲ状を有している浴室床。
【請求項３】
請求項１または２において、
上記凹所は、親水処理が施されている浴室床。
【発明の詳細な説明】
【技術分野】
【０００１】
本発明は、複数の凸部を洗い場領域に設けた浴室床に関するものである。
【背景技術】
【０００２】
従来では、浴室の洗い場でのスリップによる転倒を防ぐために、滑り止め用の多数の凸部を、水勾配を有した床面に形成することが提案されている（たとえば、特許文献１参照）。
【特許文献１】特許第３５０８７６１号公報
【発明の開示】
【発明が解決しようとする課題】
【０００３】
ところが、滑り止め用凸部の形状、サイズが同一であるかぎりは、このような多数の凸部の上端を結んで形成される上端面（歩行面）も、床面の傾斜にしたがって同様に傾斜する。そのため床面を急勾配にすると、床に腰かけたり立ったりしたときには違和感があり、歩行もしにくくなる可能性がある。特に、傾斜角度が大きくなると、凸部の上端に石鹸水が付着している場合などには、バランスを崩したときに足を滑らせるおそれもある。
【０００４】
このように、従来の滑り止め用凸部を設けた浴室床では、水はけ性（排水性）をよくするために床面の傾斜を急勾配にすることはできず、安全性が確保できる、１度程度の傾斜角度で緩やかに傾斜した浴室床とすることが通例であった。
【０００５】
このように従来のものでは、床面がわずかに傾斜しているだけであるから、浴室を使用した後には床面に排水されない水が多く残る。そのため、自然乾燥だけでは床面の残水を翌朝までに蒸発させることはほとんどできず、そのような残余の水分がカビや汚れの発生の要因となっていた。特に、表面張力によって凝縮した水滴（水玉）が床面に残った場合、そのような水滴は水の量に対し表面積が小さいため、蒸発しにくく、自然乾燥することなく長時間残留することがあった。
【０００６】
本発明、このような事情を考慮して提案されたもので、その目的は、床に腰かけたり立ったりしたときに違和感がなく、歩行感覚もよく、かつ十分な水はけ性を確保できる浴室床を提供することにある。
【課題を解決するための手段】
【０００７】
上記目的を達成するために、請求項１に記載の浴室床は、排水口を含む排水領域に洗い場領域を隣接させた構成を有し、洗い場領域の上面には複数の凸部とこれら凸部間に位置して凸部同士を区分する凹所が形成され、この凹所は排水領域まで下り傾斜を有して通水可能に連続している一方、複数の凸部はそれらの上面が同一水平面となる高さ位置を有している。
【０００８】
請求項２に記載の浴室床は、凸部の上面周縁部がＲ状を有していることを特徴とする。
【０００９】
請求項３に記載の浴室床は、凹所に親水処理が施されていることを特徴とする。
【発明の効果】
【００１０】
請求項１に記載の浴室床によれば、凸部間の凹所を排水側まで下り傾斜にして通水可能にしている一方、複数の凸部はそれらの上面が同一水平面となる高さ位置を有しているため、床に腰かけたり立ったりしたときに違和感がなく、歩行感覚もよく、老人などの転倒も防止できる。また、この構造によれば歩行面を水平にできるため、凸部間の凹所の傾斜を急勾配にすることもでき、水はけ性のよい浴室床とすることができる。
【００１１】
請求項２に記載の浴室床によれば、凸部の上面周縁部がＲ状に形成されているため、凸部の上端には水が溜まりにくく流れ落ちやすく、また凸部の立設隅部を丸くすることで、流れ落ちた水を隅に滞留させることなく流しやすくできる。
【００１２】
請求項３に記載の浴室床によれば、凹所内は親水処理が施されているため、凹所の下り傾斜構造とあいまって、効果的に排水して床面上の残水を低減でき、残水の乾燥も短時間で行える。
【発明を実施するための最良の形態】
【００１３】
以下に、本発明の複数の実施の形態について、添付図面を参照しながら説明する。
【００１４】
図１は本発明の浴室床の第１の実施形態の説明図で、（ａ）は浴室床の平面図、（ｂ）は（ａ）のＡ−Ａ線の拡大縦断面図である。
【００１５】
この浴室には、浴槽２、これに隣接する排水領域３およびこの排水領域３に隣接した洗い場１が備えられている。この洗い場１の浴槽側端部側には、浴槽２のエプロン２ａに沿って排水領域３が形成され、その排水領域３に配置される排水溝２０の開口部には排水目皿２３が装着されている。排水溝２０の長手方向の略中央には排水口２１が設けられ、この排水口２１にスムースに排水されるように、その両側には排水勾配を有した排水路２２が形成されている。
【００１６】
一方、洗い場１の浴室床１０は、排水溝２０に向かって下り傾斜を有しており、床面１１に流れ落ちた水は、上流側Ｆ１から下流側Ｆ２へと矢印Ｆの方向に流れ、排水溝２０へと排水される構成となっている。
【００１７】
また、傾斜床面１１には多数の滑り止め用凸部１２が形成されている。それぞれの滑り止め用凸部１２は、相互に分離した同一径の円柱状の孤立突部１２Ａで形成され、凸部１２Ａ間に凸部１２Ａ同士を区分する凹所１３が形成されるように、規則正しく点在して配設されている。この凹所１３は、排水溝２０に向かって途切れることのない傾斜した通水可能な流水路１３を形成している。
【００１８】
この滑り止め用凸部１２Ａは、図１（ｂ）に示すように、それぞれの凸部１２Ａの傾斜床面１１からの高さが下流Ｆ２へ向かうにしたがい高くなっており、これらの凸部上端１２１を結んで形成される上端面（歩行面）１４が同一水平面となるよう形成されている。
【００１９】
このように、歩行面１４がほぼ水平であるため、浴室床１０に腰かけたり立ったりしたときに違和感がなく、歩行感覚もよく、洗い場１で老人などがバランスを崩して転倒することを防止することができる。また、この浴室床１０によれば歩行面１４が水平であるため、滑り止め用凸部１２Ａが立設された床面１１の傾斜を急勾配にすることもでき、そのような急勾配の流水路によって水はけ性をよくすることができる。たとえば、従来構造の浴室床であれば水勾配が１度程度であるが、本発明の浴室床によれば、２〜１０度程度の急勾配にすることもでき、床面に付着した水が、量に対し表面積の小さい水滴であっても、重力作用によって落下させることもできる。
【００２０】
また本実施形態では、それぞれの滑り止め用凸部１２Ａは上端１２１が丸みを帯びた円柱形状であり、たとえば図１のように、円柱の上端に半球を載せ置いたような形状とすることができる。また、滑り止め用凸部１２Ａの立設基部１２２と流水路１３との間の隅部１５もなめらかに丸みを帯びた形状となっている。すなわち凸部１２Ａは、その上面周縁部がＲ状に形成されている。
【００２１】
このように、滑り止め用凸部１２ＡがＲ状を有した形状であるため、凸部１２Ａの上端１２１には水が溜まりにくくスムースに流れ落ち、凸部１２Ａより流れ落ちた水を隅部１５に滞留させることなく流水路１３へと流すことができる。また、丸みがあるため、そうじがしやすく汚れも落としやすい。
【００２２】
この浴室床１０は、滑り止め用凸部１２とともに一体成形することが望ましく、また下流側Ｆ２に配設した高い円柱の凸部１２Ａが変形などしないように、硬度の高い素材で形成することが望ましい。
【００２３】
また、この浴室床１０の凹所１３内を含む傾斜床面１１には親水処理が施されている。なお、傾斜床面１１のみならず、滑り止め用凸部１２Ａを含めて親水処理を施してもよいが、凹所１３内が凸部１２Ａの上面よりも親水性が高いことが望ましい。親水処理の方法としては、凹所１３を親水性の素材で形成する方法をはじめ、表面に親水性膜を形成する方法、表面に微細な凹凸を設けて擬似的に親水化する方法、化学的に親水化する方法などがあるが、床素材より親水性が高まる方法であればいずれによるものでもよい。
【００２４】
親水性膜を形成する方法としては、親水性塗料や親水性物質などの親水コーティング剤を表面に塗装する方法が一般的である。また、擬似的に親水化する方法としては、ホーニング、サンドブラスト、サンディング処理などの公知の手法により、表面に機械的な微細凹凸傷を施して、その凹凸によって水滴の表面張力を破壊できるように擬似的に親水化する方法が使用できる。化学的に親水化する方法としては、紫外線照射処理、紫外線レーザー処理、プラズマ処理、コロナ放電処理、火炎処理などを用いて、表面に化学的に親水性置換基を配置する方法が使用できる。
【００２５】
このように傾斜床面１１が親水性となっているため、凹所（流水路）１３に流れ落ちた水が水滴となることなく、あるいはかりに水滴ができてもすぐに壊され、その結果、傾斜床面１１の水勾配によって、傾斜床面１１に水を残留させないように好適に排水でき、かつたとえ残留しても、残水は親水処理された床によって濡れ性を帯びて空気の接触面積が大きくなっているため、乾燥による水分除去を短時間で行うことができる。
【００２６】
図２は本発明の浴室床の第２の実施形態の説明図で、（ａ）は浴室床の平面図、（ｂ）は（ａ）のＢ−Ｂ線の拡大縦断面図である。なお、同実施形態の洗い場１と浴槽２の位置関係および排水領域３の排水溝２０、排水口２１の構造と配設位置は第１の実施形態と同様であるため、同一の構成については同一の符号を付して、それらの説明は省略する。
【００２７】
この実施形態では、傾斜床面１１に形成された多数の滑り止め用凸部１２のそれぞれは、相互に分離した半球状の孤立突部１２Ｂで形成され、多数の凸部１２の間隙が流水路１３を構成するとともに、それらの凸部上端１２１を結んで形成される上端面（歩行面）１４はほぼ水平になっている。すなわち、この実施形態では、それぞれの凸部１２Ｂの傾斜床面１１からの高さを、下流へ向かうにしたがい高くするために、図２に示すように、径を少しずつ大きくした半球を配列させている。
【００２８】
このように、本実施形態の浴室床１０も歩行面１４が水平であるため、第１の実施形態のものと同様に、浴室床１０に腰かけたり立ったりしたときには違和感がなく、歩行感覚もよく、洗い場１で老人などがバランスを崩して転倒することを防止できる。
【００２９】
また、図例のような配列の場合、滑り止め用凸部１２Ｂを半球で構成しているため、半球の径が徐々に大きくなることによって凹所（流水路）１３の幅が狭くなる。そのような点を考慮すれば、図例のような配列では極端な急勾配とすることはできないが、滑り止め用凸部１２Ｂを、下流側Ｆ２ではまばらに、上流側Ｆ１では密に配列することで、流水路１３の幅を確保するようにしてもよい。
【００３０】
さらに、滑り止め用凸部１２Ｂが半球状に形成され下流Ｆ２へ向かうにしたがいその径を大きくしているため、凸部１２Ｂは下流Ｆ２では傾斜床面１１からの高さが高くなるが、径が大きいため安定感があり、変形もしにくい。
【００３１】
また、図２（ｂ）に示すように、滑り止め用凸部１２Ｂの立設基部１２２と、流水路１３との間の隅部１５とが丸みを帯びた形状となっているため、凸部１２Ｂより流れ落ちた水を隅部１５に滞留させることなく流水路１３へと流すことができる。また、丸みがあるため、そうじがしやすく汚れも落としやすい。
【００３２】
なお、傾斜床面１１の親水処理については、第１の実施形態と同様であるため、処理方法およびその効果については説明を省略する。
【００３３】
また、以上に説明した第１，２の実施形態では、滑り止め用凸部１２が相互に分離した孤立突部１２Ａ、１２Ｂで構成されているため、足裏の接触感がよく、足ツボマッサージとしての効果も期待できる。
【００３４】
ついで、第３の実施形態について説明する。
【００３５】
図３は本発明の浴室床の第３の実施形態の説明図で、（ａ）は浴室床の平面図、（ｂ）、（ｃ）、（ｄ）はそれぞれ、（ａ）のＣ１−Ｃ１、Ｃ２−Ｃ２、Ｃ３−Ｃ３各線の拡大縦断面図である。なお、同実施形態の洗い場１と浴槽２の位置関係および排水領域３の排水溝２０、排水口２１の構造と配設位置は、第１の実施形態と同様であるため、同一の構成については同一の符号を付して、それらの説明は省略する。
【００３６】
この実施形態では、傾斜床面１１に形成された多数の滑り止め用凸部１２のそれぞれは、浴室床１０の上流側Ｆ１から下流側Ｆ２へ稜線１２Ｃａの連なる突条部１２Ｃで構成され、それらが平行に配列されて凸部間に形成された凹所は直線状の流水路１３を形成している。この凹所１３は、凸部上面よりも親水性を有するように親水処理が施されている。
【００３７】
図３（ｂ）に示すように、突条部１２Ｃは稜線１２Ｃａが水平な直線となるように形成され、それら多数の稜線１２Ｃａによってできる上端面つまり歩行面１４は水平面となっているため、歩行感がよく、洗い場１での転倒を防止できる。またこの構成によれば、凸部間に形成された流水路１３が、途中で遮られることのない直線状の凹溝で構成されているため、水は残留しにくく、スムースな排水が実現できる。
【００３８】
また、突条部１２Ｃは図３（ｃ）、（ｄ）に示すように、その上面周縁部がＲ状に形成されているため、凹所１３内に親水性をもたせたこととの相乗作用によって、さらに排水性をよくすることができる。また、突条部１２Ｃが直線形状であり、かつ隅部１５が丸みを帯びているため、流水路１３のそうじがしやすく、隅部１５に汚れが溜まることもほとんどない。
【００３９】
図４は、図１〜３のものとは傾斜形状の異なる傾斜床面を有した浴室床の平面図である。
【００４０】
この図に示した浴室床１０は、傾斜床面１１が３区域に区分され、各区域の床面がａ、ｂ、ｃの方向に降下して傾斜しており、それぞれの区域に流れ落ちた水が、浴室床１０のエプロン側端部の略中央に形成された排水口２１よりなる排水領域３に向かって流れるようになっている。
【００４１】
このような複数区域に分割された傾斜床面１１に、第１〜３の実施形態で示した滑り止め用凸部１２を形成して歩行面１４が水平となるようにしてもよい。その場合、滑り止め用凸部１２として上記３種のものを組み合わせてもよく、少なくともａ、ｂ、ｃの方向に沿って水が流れるような流水路１３が形成されればよい。
【００４２】
なお、第１〜３の実施形態で例示した、複数区域に分割されない傾斜床においても、上記３種の滑り止め用凸部１２を組み合わせ形成してもよい。
【００４３】
また以上には、排水口２１を洗い場１のエプロン側（図例では長手方向）の辺縁に設けた例を示したが、エプロン面に直交する側（図例では短手方向）の辺縁に設けたものにも本発明の浴室床が適用できることはいうまでもない。
【００４４】
以上の実施形態では、床面上の複数の凸部が滑り止めを目的としたものを示したが、これには限定されず、タイル柄状のような意匠性を高めるために設けたものであってもよい。
【図面の簡単な説明】
【００４５】
【図１】（ａ）は本発明の第１の実施形態である浴室床の平面図、（ｂ）は（ａ）のＡ−Ａ線の拡大縦断面図である。
【図２】（ａ）は本発明の第２の実施形態である浴室床の平面図、（ｂ）は（ａ）のＢ−Ｂ線の拡大縦断面図である。
【図３】（ａ）は本発明の第３の実施形態である浴室床の平面図、（ｂ）は（ａ）のＣ１−Ｃ１線の拡大縦断面図、（ｃ）は（ａ）のＣ２−Ｃ２線の拡大縦断面図、（ｄ）は（ａ）のＣ３−Ｃ３線の拡大縦断面図である。
【図４】床面が３区域に区分され、各区域が排水口に向けて降下傾斜している例を示した浴室床の平面図である。
【符号の説明】
【００４６】
１      洗い場領域
２      浴槽
３      排水領域
１０      浴室床
１１      傾斜床面
１２      凸部
１２Ａ、１２Ｂ      孤立突部
１２Ｃ      突条部
１２１      凸部上端
１２２      立設基部
１３      凹所（流水路）
１４      複数の凸部の上端面（歩行面）
１５      隅部
２０      排水溝
２１      排水口
【図１】
2009228389.tif 000003
【図２】
2009228389.tif 000004
【図３】
2009228389.tif 000005
【図４】
2009228389.tif 000006